(57)【要約】【課題】可動体の動きによって興趣を高めることができて、不正基板の設置を防止して不正行為を困難にすることのできる遊技機を提供すること。【解決手段】遊技球が流下する遊技領域を前面に形成した遊技盤と、この遊技盤に設けた所定の電気部品と、この所定の電気部品より背後側に設けられて、前記所定の電気部品と電気的に接続される制御基板と、を備え、この制御基板と前記所定の電気部品との間に、所定の可動体を設けたこと。【選択図】図２
2009142366.tif 000002
【特許請求の範囲】
【請求項１】
遊技球が流下する遊技領域を前面に形成した遊技盤と、この遊技盤に設けた所定の電気部品と、この所定の電気部品より背後側に設けられて、前記所定の電気部品と電気的に接続される制御基板と、を備え、この制御基板と前記所定の電気部品との間に、所定の可動体を設けたことを特徴とする遊技機。
【請求項２】
遊技球が流下する遊技領域を前面に形成した遊技盤と、この遊技盤に設けた所定の電気部品と、この所定の電気部品より背後側に設けられて、前記所定の電気部品と電気的に接続される制御基板と、を備え、この制御基板と前記所定の電気部品との間に、所定の可動体の可動範囲が位置するようにしたことを特徴とする遊技機。
【請求項３】
前記所定の可動体の駆動部分にて過負荷を検知したとき、前記制御基板を介して警告を発するようにしたことを特徴とする請求項１または請求項２に記載の遊技機。
【請求項４】
前記所定の可動体は、箱体により囲まれるものであり、この箱体は、前記制御基板と所定の電気部品との間に延在する、前記可動体のための可動空間を有したものとしたことを特徴とする請求項１〜請求項３のいずれかに記載の遊技機。
【請求項５】
前記箱体は、前記可動範囲の他に、前記制御基板と所定の電気部品との間に延在する埋め空間を有していることを特徴とする請求項４に記載の遊技機。
【請求項６】
前記所定の可動体は、前記遊技球の入球に基づいて所定の動作を行う演出部の前方に位置するとともに、この演出部を遮蔽する遮蔽状態と、前記演出部の少なくとも一部を露出させる露出状態と、に変化する遮蔽部材であることを特徴とする請求項１〜請求項５のいずれかに記載の遊技機。
【発明の詳細な説明】
【技術分野】
【０００１】
本発明は遊技機に関し、特に、遊技盤と、この遊技盤に設けた所定の電気部品と、この所定の電気部品と電気的に接続された制御基板とを備えた遊技機に関するものである。
【背景技術】
【０００２】
一般に、遊技機は、遊技球が流下する遊技領域を前面に形成した遊技盤を備えているが、この遊技盤の所定箇所には、遊技領域を流下する遊技球が入賞したときに所定の信号を発して制御基板に入力するための始動口スイッチを含む種々な電気部品が配置されている。そして、これらの電気部品は、配線を利用して、上記遊技盤の裏面に設けた制御基板と電気的な接続がなされている。
【０００３】
ところで、この種の遊技機に対して、種々な不正行為がなされることがあるが、この不正行為の中には、上記配線を利用して不正基板を中継させたり、上記制御基板または所定の電気部品のどちらか一方に不正基板を直接接続することが行われることがある。
【０００４】
このような不正基板を設置するスペースとして狙われ易い場所が、制御基板によって隠されてしまう部分や、配線が多く通っていて不正基板を設置しても違和感がない部分であると考えられる。このような部分は、この種の遊技機の検査時、メンテナンス作業時、あるいはトラブル解消時等において、遊技盤をその背後の制御基板とともに前方に開放した際に、検査員あるいは店員による目視がしにくい箇所だからである。
【０００５】
不正基板の設置を防止する目的で、出願人も特許文献１にて示すような遊技機を提案してきている。
【０００６】
この特許文献１の「遊技機」は、「制御基板等が層状に配置され、それらの基板間に間隙が形成されている遊技機において、その間隙への不正基板の敷設を未然に回避させることができるところの遊技機を提供することを目的としてなされたもので、「第１取り付け部に取り付けられる第１基板と、開閉自在な第２取り付け部に取り付けられる第２基板とを備え、第２取り付け部が閉状態のときに両基板が正面視で重なるようにし、更に、第２取り付け部の前面側と前記第１基板の背面側との間には開閉どちらの状態であっても空間が形成されるように構成してある遊技機であって、前記空間に、前記第１、第２取り付け部とは別体の隙間防止部材を備え、該隙間防止部材を、前記第２取り付け部材に対して連結固定」したものである。
【０００７】
この特許文献１の「遊技機」によれば、「制御基板等が層状に配置され、それらの基板間に間隙が形成されている遊技機において、その間隙への不正基板の敷設を未然に回避させることができる」ものであるが、「前記空間に、前記第１、第２取り付け部とは別体の隙間防止部材を備え」なければならないものとなっている。
【０００８】
ところで、この種の遊技機においては、図柄の変動表示を行う「変動表示画面」や、遊技球の入賞によって特別入賞状態を形成する所謂「電動役物」を含む演出部を積極的に設けて、これらの演出部によって遊技の興趣をさらに高めることも行われてきている。そして、これらの演出部は、パチンコ遊技の内容を決定する重要な部分となっているだけでなく、遊技者が常に注意して様子を観察している部分となっている。
【０００９】
もし、遊技者が注目しているこの演出部が、突然隠されたり、あるいはこの演出部の前方に何かが通り過ぎたりすると、遊技者は「何か変化があるゾ」と期待感を持つことになって、演出部の演出の多様化が図れると考えられる。このような演出の多様化を目指した遊技機としては、特許文献２にて提案されている。
【００１０】
この特許文献２に記載された「遊技機」は、「駆動扉の上端側又は下端側にラックを設けて、駆動力を上下方向アンバランスな状態で駆動扉に伝達しているにもかかわらず、全閉状態では左右の駆動扉を隙間なく密着させることが可能な遊技機を提供する」ことを目的としてなされたもので、図２４に示すような構成のものである。
【００１１】
しかしながら、この特許文献２の「遊技機」では、図２４の（ａ）及び（ｂ）の比較から解るように、「表示手段３０の前側に配置された一対の駆動扉４１ａ，４１ｂ」が単に開閉されるだけで、それ以上の変化がないものであるだけでなく、上述した不正基板の設置を阻止しようとする目的意識がないものである。
【特許文献１】特開２００７−２４４６０９号公報、要約
【特許文献２】特開２００７−６１４８８号公報、要約、図２
【発明の開示】
【発明が解決しようとする課題】
【００１２】
そこで、本発明者等は、遊技機について、特許文献２に記載されている「駆動扉」のような可動体の動きによる興趣の高まりを達成しながら、不正基板の設置をも防止するにはどうしたらよいか、について種々検討を重ねてきた結果、本発明を完成したのである。
【００１３】
すなわち、本発明の目的とするところは、可動体の動きによって興趣を高めることができて、不正基板の設置を防止して不正行為を困難にすることのできる遊技機を提供することにある。
【課題を解決するための手段】
【００１４】
以上の課題を解決するために、まず、請求項１に係る発明の採った手段は、
「遊技球が流下する遊技領域を前面に形成した遊技盤と、この遊技盤に設けた所定の電気部品と、この所定の電気部品より背後側に設けられて、前記所定の電気部品と電気的に接続される制御基板と、を備え、この制御基板と前記所定の電気部品との間に、所定の可動体を設けたことを特徴とする遊技機」
である。
【００１５】
すなわち、この請求項１に係る遊技機は、遊技球が流下する遊技領域を前面に形成した遊技盤と、この遊技盤に設けた所定の電気部品と、この所定の電気部品より背後側に設けられて、前記所定の電気部品と電気的に接続される制御基板とを備えたものである。
【００１６】
ここで、所定の電気部品としては、所定の入賞口へ入賞した遊技球を検知する入賞検出スイッチ（始動口へ入賞した遊技球を検知する始動口スイッチや大入賞口内へ入賞した遊技球を検知する大入賞口検出スイッチなど）、所定の入賞口（例えば始動口）を拡大及び縮小する羽根を開閉するソレノイド、大求償口扉を開閉するためのソレノイド、複数の電気部品の電気的接続を中継する中継基板、電飾や警告に用いられるＬＥＤ基板が含まれる。
【００１７】
また、制御基板としては、遊技機全体の制御を行う主制御基板は勿論のこと、上記演出部での変動表示制御を行う基板、遊技機の音声制御やランプ制御を行う基板、当該遊技機の状態をＬＥＤによって表示する基板、あるいは種々な中継基板を含むものであり、不正基板が中継または接続される虞があるものを言う。
【００１８】
そして、この請求項１に係る遊技機では、以上例示した制御基板と前記所定の電気部品との間に、所定の可動体を設けるようにしたものであり、この可動体としては、後述する最良形態中で例示する遮蔽部材は勿論のこと、演出用のフィギアであってもよい。
【００１９】
このようなフィギアや遮蔽部材を含む可動体を、制御基板と前記所定の電気部品との間に設けると、この可動体の存在によって、不正基板や、これと制御基板や前記電気部品とを接続する配線の設置スペースがなくなる。つまり、不正基板やそのための配線を隠して不正行為を行おうとしても、これらを隠そうとするためのスペースが可動体によって制限を受けるのであるから、不正行為が困難になるのである。
【００２０】
また、可動体は、所定の条件の下で、かつ制御基板と前記所定の電気部品との間で動くことになるから、この可動体自体に、不正基板や、これと制御基板や前記電気部品とを接続する配線を取り付けることができないし、取り付けたとしても、可動体の動きによって、不正基板や配線を損傷させることにもなる。つまり、不正基板やそのための配線を隠して不正行為を行おうとしても、動くことになる可動体によって制限を受けるのであるから、不正行為が困難になるのである。
【００２１】
さらに、もし、不正基板や、これと制御基板や前記電気部品とを接続する配線を、上記可動体の周囲に配置したとしても、この可動体が遊技時に動くことによって、不正基板やこれのための配線が可動体に引っ掛かったり当接したりして、当該遊技機に不具合を発生させ易くなり、結果として不正行為を行うことが困難となるのである。
【００２２】
勿論、可動体は、当該遊技機による遊技時において、所定の条件の下で、かつ制御基板と前記所定の電気部品との間で動くことになるから、遊技の興趣を高めるための演出をも行うことになるのである。
【００２３】
従って、この請求項１に係る遊技機は、可動体の動きによって興趣を高めることができて、不正基板の設置を防止して不正行為を困難にすることができるものとなっているのである。
【００２４】
また、請求項２に係る発明の採った手段は、
「遊技球が流下する遊技領域を前面に形成した遊技盤と、この遊技盤に設けた所定の電気部品と、この所定の電気部品より背後側に設けられて、前記所定の電気部品と電気的に接続される制御基板と、を備え、この制御基板と前記所定の電気部品との間に、所定の可動体の可動範囲が位置するようにしたことを特徴とする遊技機」
である。
【００２５】
すなわち、この請求項２の遊技機においては、制御基板と前記所定の電気部品との間に所定の可動体の可動範囲が位置するようにしたことが上記請求項１のそれと異なるものであって、その他の構成は、上記請求項１のそれと同様である。
【００２６】
換言すれば、この請求項２の遊技機では、可動体の可動範囲が、制御基板と前記所定の電気部品との間に位置するものであり、制御基板と前記所定の電気部品との間で可動体が常に動く場合は勿論、可動体が動いてきて制御基板と前記所定の電気部品との間に位置する場合もあることを意味している。
【００２７】
このフィギアや遮蔽部材を含む可動体の可動範囲が、制御基板と前記所定の電気部品との間に位置するようにすると、まず、可動体の存在によって、不正基板や、これと制御基板や前記電気部品とを接続する配線の設置スペースが少なくなる。つまり、不正基板やそのための配線を隠して不正行為を行おうとしても、これらを隠そうとするためのスペースが可動体自体の存在によって制限を受けるのであるから、不正行為が困難になるのである。
【００２８】
それだけでなく、可動体の可動範囲が、制御基板と前記所定の電気部品との間に位置するということは、静止している可動体を見ているだけでは、この可動体がどこまで動くかは不明である。このため、仮にこの可動体を避けて不正基板やその配線を設置しても、その設置箇所が可動体の可動範囲内であれば、遊技が始まって動いてきた可動体が、不正基板やこれのための配線が可動体に引っ掛かったり当接したりして、当該遊技機に不具合を発生させ易くなり、結果として不正行為を行い難くするのである。
【００２９】
また、可動体は、所定の条件の下で、かつ制御基板と前記所定の電気部品との間の可動範囲内で動くことになるから、この可動体自体に、不正基板や、これと制御基板や前記電気部品とを接続する配線を取り付けることができないし、取り付けたとしても、可動体の上記可動範囲内での動きによって、不正基板や配線を損傷させることにもなる。つまり、不正基板やそのための配線を隠して不正行為を行おうとしても、可動範囲内で動くことになる可動体によって制限を受けるのであるから、不正行為が困難になるのである。
【００３０】
勿論、可動体は、当該遊技機による遊技時において、所定の条件の下で、かつ制御基板と前記所定の電気部品との間を含む可動範囲内で動くことになるから、遊技の興趣を高めるための演出をも行うことになるのである。
【００３１】
従って、この請求項２に係る遊技機は、可動体の動きによって興趣を高めることができて、不正基板の設置を防止して不正行為を困難にすることができるものとなっているのである。
【００３２】
上記課題を解決するために、請求項３に係る発明の採った手段は、上記請求項１または請求項２に記載の遊技機について、
「前記所定の可動体の駆動部分にて過負荷を検知したとき、前記制御基板を介して警告を発するようにしたこと」
である。
【００３３】
すなわち、この請求項３の遊技機では、前記所定の可動体が、その駆動部分にて過負荷を検知したとき、前記制御基板を介して警告を発するようにしたものであるが、この警告としては、当該遊技機から遊技者に向けて発せられる音や光は勿論のこと、当該遊技機の設置場所内に発せられる音や光のための電気的信号、そして管理室内の管理機器への電気的信号であってもよいものである。
【００３４】
勿論、可動体は必ず駆動部分があり、この駆動部分で過負荷を検知することは、電気的信号を使用すれば容易に行える。
【００３５】
また、過負荷が検知されるということは、可動体に何らかのトラブルが発生したことを意味するのであるが、このトラブルが不正基板やそのための配線によるものであれば、これがトラブル発生によって直ちに警告されることになり、不正行為を行いにくくするのである。
【００３６】
さらに、ここでいう制御基板が、前記所定の電気部品の背後に位置する前記制御基板である場合には、不正基板などを仕込まれた場合に無効化されて警告が行えない場合が考えられるが、それ以外の制御基板を介して警告を行うようにしておけば、不正基板が仕込まれた際に確実に警告することができる。
【００３７】
換言すれば、この請求項３に係る遊技機においては、仮に不正基板やそのための配線が、制御基板と前記所定の電気部品との間に設置されていれば、そのことが警告されることになるから、不正を直ちに発見することができるのである。
【００３８】
従って、この請求項３の遊技機によれば、上記請求項１または２のそれと同様な機能を発揮する他、不正基板やその配線が制御基板と電気部品との間に設置されていれば、そのことを直ちに警告することができるものとなっているのである。
【００３９】
また、請求項４に係る発明の採った手段は、上記請求項１〜請求項３のいずれかに記載の遊技機について、
「前記所定の可動体は、箱体により囲まれるものであり、この箱体は、前記制御基板と所定の電気部品との間に延在する、前記可動体のための可動空間を有したものとしたこと」
である。
【００４０】
すなわち、この請求項４の遊技機では、所定の可動体を、箱体によって囲むようにしたものであり、この箱体に可動体やその駆動部品の安定した組み付けあるいは取り付けが行えるだけでなく、箱体による可動体の保護がなされるのである。また、この箱体は、制御基板と所定の電気部品との間に延在する可動空間を有したものであるから、可動体はこの可動空間内で、保護されながら動き得ることになる。
【００４１】
また、所定の可動体を囲む箱体は、当然のことながら、不正基板やその配線を可動体自体に設置するのを阻止するものであり、しかも、これが有する可動空間内での可動体の動きを確保するものである。そして、この箱体は、不正基板や配線の設置空間を占めることになるから、この可動体の周囲、換言すれば、制御基板と前記所定の電気部品との間に不正基板や配線を設置することを不能にできて、不正行為を防止するのである。
【００４２】
従って、この請求項４の遊技機によれば、上記請求項１〜３のいずれかに係る遊技機と同様な機能を発揮する他、箱体によって、可動体の保護を行いながら不正行為の防止を図れるものとなっているのである。
【００４３】
さらに、請求項５に係る発明の採った手段は、上記請求項４に記載の遊技機について、
「前記箱体は、前記可動範囲の他に、前記制御基板と所定の電気部品との間に延在する埋め空間を有していること」
である。
【００４４】
すなわち、この請求項５の遊技機では、前記箱体が、前記可動範囲の他に、前記制御基板と所定の電気部品との間に延在する埋め空間をさらに有しているものであり、これにより、不正基板や配線の設置空間をさらに埋めることになるから、この可動体の周囲、換言すれば、制御基板と前記所定の電気部品との間に不正基板や配線を設置することを不能にできて、不正行為を防止するのである。
【００４５】
従って、この請求項５の遊技機によれば、上記請求項４に係る遊技機と同様な機能を発揮する他、箱体の埋め空間によって、可動体の保護を行いながら不正行為の防止をさらに図れるものとなっているのである。
【００４６】
そして、上記課題を解決するために、請求項６に係る発明の採った手段は、上記請求項１〜請求項５のいずれかに記載の遊技機について、
「前記所定の可動体は、前記遊技球の入球に基づいて所定の動作を行う演出部の前方に位置するとともに、この演出部を遮蔽する遮蔽状態と、前記演出部の少なくとも一部を露出させる露出状態と、に変化する遮蔽部材であること」
である。
【００４７】
すなわち、この請求項６に係る遊技機では、可動体として演出部を遮蔽する遮蔽部材を採用したものであり、かつ、この遮蔽部材は、上記演出部を遮蔽する遮蔽状態と、この演出部の少なくとも一部を露出させる露出状態と、に変化するものである。また、この遊技機は、例えば始動口への遊技球の入球に基づいて所定の動作を行う演出部を有したものであり、この演出部は、遊技に関わる種々な演出を行うものである。
【００４８】
また、この請求項６の遊技機では、上述した遮蔽部材によって、上記演出部の遮蔽を行ったり、またこの遮蔽を解除したりする演出を行うものである。ここで、演出部とは、例えば、図柄の変動表示を行って、大当たり状態やその他の状態を表示する表示画面や、遊技領域に打ち込まれた遊技球が接触しない箇所に設けられて動くことによって遊技状態を報知するフィギアなどの可動体、または、自身の入賞口が電気的に拡大及び縮小される所謂「電動役物」の内部に設けられる遊技球の転動面や振り分け用可動体、などを言うものである。また、遮蔽部材とは、物質的に上記演出部を遮蔽する遮蔽状態と、演出部の少なくとも一部を露出させる露出状態とを作り出すものを言う。
【００４９】
さて、上記の演出では、遊技者が注目している演出部を、遮蔽部材によって突然隠して遮蔽状態を作り出したり、この演出部の前方を遮蔽部材が通り過ぎたり、あるいは演出部の少なくとも一部を露出させて露出状態を作り出すものであり、遊技者に「何か変化があるゾ」と期待感を持たせることになって、演出部自体での演出とは別の演出を図るようにしたものである。
【００５０】
従って、この請求項６の遊技機によれば、上記請求項１〜５の何れかのそれと同様な機能を発揮する他、演出部自体の演出効果と、遮蔽部材の開閉による演出効果とによって、遊技の興趣がより一層高まったものとなっているのである。
【発明の効果】
【００５１】
以上、詳述した通り、本発明においては、
「遊技球が流下する遊技領域を前面に形成した遊技盤と、この遊技盤に設けた所定の電気部品と、この所定の電気部品より背後側に設けられて、前記所定の電気部品と電気的に接続される制御基板と、を備え、この制御基板と前記所定の電気部品との間に、所定の可動体を設けたこと」
あるいは、
「遊技球が流下する遊技領域を前面に形成した遊技盤と、この遊技盤に設けた所定の電気部品と、この所定の電気部品より背後側に設けられて、前記所定の電気部品と電気的に接続される制御基板と、を備え、この制御基板と前記所定の電気部品との間に、所定の可動体の可動範囲が位置するようにしたこと」
にその構成上の特徴があり、これにより、可動体の動きによって興趣を高めることができて、不正基板の設置を防止して不正行為を困難にすることのできる遊技機を提供することができるのである。
【発明を実施するための最良の形態】
【００５２】
次に、上記のように構成した各請求項に係る発明を、図面に示した最良の形態に基づいて説明すると、図１には、パチンコ遊技を行う遊技機のための、本発明を実施した遊技盤１０の正面図が示してある。この遊技盤１０は、パチンコ遊技機に組み付けられるものであり、図示しない遊技球が流下する遊技領域１１を前面に形成したものである。また、この遊技機においては、その遊技盤１０の遊技領域１１に対して、この遊技領域１１を流下する遊技球が入球可能な始動口１２が設けられているものであり、この始動口１２への遊技球の入球に基づいて所定の動作を行う演出部２０が、図２等に示すように、当該遊技盤１０の背面側に配設してある。
【００５３】
この遊技盤１０の背面側には、図２に示したように、所定の動作を行う演出部２０や、その前方での遮蔽や開放を行う可動体である遮蔽部材３０が配設してある。また、遊技盤１０の背面下部には、電気部品取付部７０が形成してあって、この電気部品取付部７０には第１電気部品７１〜第４電気部品７４等の所定の電気部品と第１中継基板６２が取り付けてある。
【００５４】
ここで、第１電気部品７１〜第４電気部品７４等の所定の電気部品としては、所定の入賞口へ入賞した遊技球を検知する入賞検出スイッチ（図１に示した始動口１２へ入賞した遊技球を検知する始動口スイッチや大入賞口内へ入賞した遊技球を検知する大入賞口検出スイッチなど）、所定の入賞口（例えば図１に示した始動口１２）を拡大及び縮小する羽根を開閉するソレノイド、大求償口扉を開閉するためのソレノイド、複数の電気部品の電気的接続を中継する上記第１中継基板６２、電飾や警告に用いられるＬＥＤ基板６３が含まれる。
【００５５】
また、遊技盤１０の背面側では、図２に示したように、所定の動作を行う演出部２０や、その前方での遮蔽や開放を行う可動体である遮蔽部材３０、あるいは他の種々な部分や部品の駆動が、主制御基板６０や副制御基板６１によって制御されるのであり、これらの主制御基板６０及び副制御基板６１には第２中継基板６４が介装してある。この主制御基板６０には、配線７５によって前記第１電気部品７１〜第４電気部品７４及び第１中継基板６２が、また、配線６５によってＬＥＤ基板６３や第２中継基板６４が接続してある。
【００５６】
一方、可動体である遮蔽部材３０や、その背後に配置した演出部２０は、図２に示したように、箱体３０Ａによって囲んであり、この箱体３０Ａ内の前部分は、遮蔽部材３０が開閉し得る可動空間８０としてある。また、この箱体３０Ａ内の可動空間８０以外の部分は、箱体３０Ａの後部によって囲まれた埋め空間８１としてある。この埋め空間８１は、遮蔽部材３０は動いては来ないが、箱体３０Ａの後部によって包んであるため、不正基板やそのための配線を設置あるいは収納できない状態にしてある。
【００５７】
以上の結果、例えば、主制御基板６０と電気部品取付部７０との間には、第１電気部品７１〜第４電気部品７４、これらと主制御基板６０とを結ぶ配線７５の他に、遮蔽部材３０の可動空間８０の一部、埋め空間８１、これを囲んでいる箱体３０Ａが存在しているため、これらの主制御基板６０と電気部品取付部７０との間には、殆ど空間が存在しない状態となる。このため、これらの主制御基板６０と電気部品取付部７０との間に、不正基板やそのための配線を設置したり収納したりしようとしても殆ど不可能となっており、仮に不正基板などを収納したり設置したりしたとしても、可動空間８０あるいは可動範囲に可動体（遮蔽部材３０）が動いて来て、これらの不正基板や配線を破損させたり断線したりする。
【００５８】
換言すれば、この遊技機においては、可動体である遮蔽部材３０またはその可動範囲を、主制御基板６０と電気部品取付部７０に取り付けられた第１電気部品７１などの記電気部品との間に設けたから、この遮蔽部材３０等の存在によって、不正基板や、これと主制御基板６０や第１電気部品７１などの電気部品とを接続する配線の設置スペースがなくなる。つまり、不正基板やそのための配線を隠して不正行為を行おうとしても、これらを隠そうとするためのスペースが、遮蔽部材３０やその可動範囲の存在によって制限を受けるのであるから、この遊技機では、不正行為が非常に困難になっているのである。
【００５９】
ところで、本最良形態で示した演出部２０は、所謂「変動表示装置」であり、始動口１２への遊技球の入球に基づいて図柄を変動表示させて、大当たり表示またはその他の表示等の、所定の表示や動作を行うものである。勿論、本発明で対象としている演出部２０は、このような変動表示装置に限るものではなく、例えば、遊技球自体の入賞によって特別入賞状態やその他の状態を形成する所謂「電動役物」や、電動表示ではなく実際の物であるフィギアが動いて種々な演出を行うものを含み、多様な演出を行って遊技に興趣を付与する全ての「演出」部を含むものである。
【００６０】
なお、本最良形態では、図１〜図５と、図８〜図１０との比較から理解できるように、この演出部２０については、その正面形状を横長の長方形状とするとともに、後述する各遮蔽部材３０を上下方向に開閉するものとしてあり、これにより、両遮蔽部材３０による演出部２０の遮蔽及び開放を短時間内で行えるようにしている。このようにすることによって、演出部２０を開いた状態と閉じた状態との切り替わりが素早くなるため、演出部２０による演出が間延びしないことになる。
【００６１】
また、遊技盤１０の遊技領域１１には、種々な装飾を施した枠ユニット４０が取り付けてあって、この枠ユニット４０の開口４０ａから開閉作動を行う遮蔽部材３０が臨むようにしてある。なお、この枠ユニット４０は、図１７〜図１９に示したように、上記開口４０ａを透明板４１によって覆うようにしてあり、この枠ユニット４０の開口４０ａを囲む部分には、遊技球が転動して複雑な動きをするようにした球通路４２が形成してある。
【００６２】
本最良形態の枠ユニット４０は、透明または半透明材料によって形成したものであり、内部や近傍に設置した発光部材からの光が複雑に透過したり反射したりするようにしてある。これにより、本最良形態の遊技機では、この枠ユニット４０からの透過光や反射光によって、この枠ユニット４０によっても複雑な演出が可能となるようにしてある。
【００６３】
さて、可動体としての遮蔽部材３０であるが、本最良形態では、上述したように、上下二つの遮蔽部材３０によって、図１に示した演出部２０の遮蔽状態と、図８に示した演出部２０の開放状態とが形成できるようにしている。図１に示した演出部２０の遮蔽状態では、両遮蔽部材３０の開放端面３１が、枠ユニット４０の開口４０ａ内の略中央にて横方向に当接しあっており、図８に示した演出部２０の開放状態では、両遮蔽部材３０の開放端面３１が上下に移動して、枠ユニット４０の開口４０ａ内の略全部を開放しており、この開口４０ａの背面に位置する演出部２０を見えるようにしている。
【００６４】
なお、これら各遮蔽部材３０については、これを光透過性のある材料によって形成しておいて、各遮蔽部材３０の背後に光を発するもの（例えば発光ＬＥＤ）を配置しておけば、これらの遮蔽部材３０が閉じたときにはその全面を発光させ、遮蔽部材３０が閉じたときには開放端面３１を発光させるようにすることができる。換言すれば、各遮蔽部材３０が閉じたときには前面から発光させ、各遮蔽部材３０が開いたときには各開放端面３１から発光させて、両方の方法でこれらの遮蔽部材３０による発光による演出ができることになる。
【００６５】
特に、発光ＬＥＤを遮蔽部材３０の背面から少し距離を置いた状態で配置すれば、これからの光を遮蔽部材３０自体は勿論、その開放端面３１からも発することができるから、各遮蔽部材３０を閉じたときに、各開放端面３１が当接しあっている合わせ目近傍が暗くならないようにすることができる。
【００６６】
本最良形態における上側の遮蔽部材３０は、図３〜図１６、及び図２０〜図２３に示したように、横長で二枚のブレード３０ａによって構成したものであり、これらのブレード３０ａは、図１４〜図１６にも示したように、両者間の背面側端縁で枢着ピン３０ｂにて連結したものである。これにより、これら二枚のブレード３０ａは、枢着ピン３０ｂによって互いに傾動可能になっており、図１４〜図１６に示したような状態に傾動変化できるものとなっているのである。これによって、当該上側の遮蔽部材３０の案内を後述するように行えることは勿論、例えば図３に示したように、大型の遮蔽部材３０を採用したとしても、この上側遮蔽部材３０が演出部２０を確実に避けながら移動することになり、遊技機背面の狭い空間を有効に利用できるのである。
【００６７】
この上側の遮蔽部材３０は、後述する下側の遮蔽部材３０と同様に、その左右両側に位置するレール板３３によって両側縁が案内されるようになっている。各レール板３３の内面には、図２０、図２２、及び図２３に示したように、第１案内レール３３ａ〜第３案内レール３３ｃの３種類の案内レールが形成してあり、これらの第１案内レール３３ａ〜第３案内レール３３ｃ内には、図４及び図１０に示したように、各遮蔽部材３０の側面に取り付けられる係合ピン３４及び連結係合ピン３５が係合される。
【００６８】
各レール板３３に形成した第１案内レール３３ａは、例えば図２２に示したように、レール板３３の上下方向に位置する直線状のものであり、各遮蔽部材３０を外側の駆動ユニット５０と連結するために、当該レール板３３を貫通するものとしてある。各レール板３３の第２案内レール３３ｂは、図２２に示したように、その前部を上記第１案内レール３３ａの上部の後側に配置して第１案内レール３３ａと平行になるようにしたものであり、後部については、第１案内レール３３ａから離れながら後部上方に向けて傾斜するようにしたものである。そして、各レール板３３の第３案内レール３３ｃについては、第１案内レール３３ａの後側下部から始まって、さらに後方下部に向けて傾斜するようにしたものである。
【００６９】
以上のように、各レール板３３に第１案内レール３３ａ〜第３案内レール３３ｃを形成したことによって、各遮蔽部材３０の案内を後述するように行えることは勿論、例えば図３に示したように、大型の遮蔽部材３０を採用したとしても、これらの遮蔽部材３０が演出部２０を確実に避けながら移動することになるので、遊技機背面の狭い空間を有効に利用できるのである。
【００７０】
ここで、上記第１案内レール３３ａ〜第３案内レール３３ｃに係合される各係合ピン３４は、遮蔽部材３０の左右両側面に取り付けられるとともに、この取付部分とは反対側部分にて、上記第１案内レール３３ａ〜第３案内レール３３ｃに係合されて、各遮蔽部材３０の第１案内レール３３ａ〜第３案内レール３３ｃに沿った動きを確保するものである。これに対して、連結係合ピン３５は、遮蔽部材３０の左右両側面に取り付けられ、かつ上記第１案内レール３３ａに係合されて、各遮蔽部材３０の第１案内レール３３ａに沿った動きを確保することは上記係合ピン３４と同様であるが、その外端にて後述する駆動ユニット５０側のラック５３に形成してある連結部５３ａに連結されて、駆動ユニット５０の駆動モータ５０ａの駆動力を遮蔽部材３０に伝達するものである。
【００７１】
また、各レール板３３については、図３及び図９に示したように、その前面が前述した枠ユニット４０の直後に位置することになるものである。このため、このレール板３３を透明または半透明材料によって形成するとともに、このレール板３３内あるいは近傍に発光体を設けておけば、この発光体からの光を当該レール板３３を通して枠ユニット４０から投射させたり、当該枠ユニット４０自体を発光させることができる。これによっても、枠ユニット４０自体を演出効果の高いものとすることができる。
【００７２】
さて、上側の遮蔽部材３０については、レール板３３の縦方向に直線状に形成した第１案内レール３３ａと、この第１案内レール３３ａの上部の背面側に一部が平行で他部が第１案内レール３３ａから上方に向けて湾曲する第２案内レール３３ｂとに、係合ピン３４及び連結係合ピン３５によって係合するようにしてあった。これにより、この上側の遮蔽部材３０は、第１案内レール３３ａ及び第２案内レール３３ｂの案内と、後述する駆動ユニット５０による駆動とによって、図１４〜図１６に示したような動きをすることになる。
【００７３】
この上側の遮蔽部材３０が、図１４〜図１６に示したように動くにあたって、これを構成している各ブレード３０ａが、次のような重要な変化をする。本最良形態の場合、図１４に示したように、まず、図示下側になっているブレード３０ａの下部は、これに取り付けてある連結係合ピン３５によって、第１案内レール３３ａに係合されるとともに後述する駆動ユニット５０の駆動モータ５０ａに連結してあるから、駆動モータ５０ａによる開閉のための駆動力が伝達されるとともに、第１案内レール３３ａによって上下方向にのみ案内される。一方、図１４に示したように、図示下側になっているブレード３０ａの上部は、これに取り付けてある係合ピン３４によって、第２案内レール３３ｂに係合されているだけであるから、こ第２案内レール３３ｂの案内方向に沿って案内される。勿論、両ブレード３０ａは、上述したように、その中間にて枢着ピン３０ｂによって傾動可能に連結してあった。
【００７４】
ここで、駆動ユニット５０の駆動モータ５０ａの駆動力が、下側のブレード３０ａに伝達されると、例えば、図１５に示したように、この下側のブレード３０ａは、上下方向に沿って上動される。何故なら、この１４に示した位置までの第１案内レール３３ａ及び第２案内レール３３ｂは、その案内方向が上下方向になっているからである。そして、この下側ブレード３０ａの上動時においては、上側のブレード３０ａは、下側のブレード３０ａによって押し上げられるのであるが、この上側のブレード３０ａは、片側一個の係合ピン３４によって第２案内レール３３ｂによって案内されており、かつ枢着ピン３０ｂによって下側ブレード３０ａと傾動可能に連結されているから、図１５に示したように、第２案内レール３３ｂによって案内されて後方斜め上方に傾斜することになるのである。
【００７５】
そして、下側ブレード３０ａがさらに上動されると、図１６に示したように、下側の連結係合ピン３５は上下方向になっている第１案内レール３３ａに案内されるものの、第２案内レール３３ｂに係合してあった上側の係合ピン３４が、この第２案内レール３３ｂの曲がりに応じて案内されるから、この下側ブレード３０ａもその上部が後方になるように傾斜することになる。そうなると、この下側ブレード３０ａに形成されている遮蔽部材３０の開放端面３１が、図８及び図９にも示したように、斜め前方に向かうように傾斜することになるのである。
【００７６】
さて、今度は、下側の遮蔽部材３０について説明すると、この下側遮蔽部材３０は、図３〜図１６、図２０〜図２３に示したように、一枚ものとして構成したものであり、その左右両側には、レール板３３の上記第１案内レール３３ａと第３案内レール３３ｃとに係合される係合ピン３４及び連結係合ピン３５が取り付けてある。ここで、第３案内レール３３ｃは、図１４〜図１６に示したように、上下方向になっている第１案内レール３３ａの下部背面から始まって、遊技盤１０の背面下方に直線状に傾斜するものである。
【００７７】
この下側の遮蔽部材３０では、後述する枠ユニット４０の駆動モータ５０ａに連結される連結係合ピン３５が上部に取り付けられて第１案内レール３３ａに係合されるのであり、係合ピン３４は、当該遮蔽部材３０の下部に取り付けられて第３案内レール３３ｃ内に係合されるものである。その結果、この下側の遮蔽部材３０に駆動モータ５０ａの駆動力が伝達されると、まず例えば、図１５に示したように、その下部は第３案内レール３３ｃに係合している係合ピン３４によって下部後方に案内され、上部は第１案内レール３３ａ内を下方に下がるように案内されるから、この下側遮蔽部材３０の開放端面３１は連結係合ピン３５を中心に前方（遊技者の方向）に傾斜し始めるのである。
【００７８】
そして、この下側遮蔽部材３０の開放最終段階に至ると、図１６に示したように、この下側遮蔽部材３０は最大限前方に傾斜することになる。そうすると、この下側遮蔽部材３０の開放端面３１は、図８〜図１１に示したように、遊技者に向けて最大限傾斜することになり、この開放端面３１が装飾面３２となっていれば、例えば図１２の（ａ）にも示したように、この装飾面３２に形成してある装飾が遊技者に向けて大きく訴え掛けることになるのである。
【００７９】
この装飾面３２は、例えば図１２の（ａ）にも示したような絵や文字であってもよいが、遊技者に認識できるものであればどのようにしてもよいものであり、例えば開放端面３１自体へのの単なる着色や着色材の貼付であってもよい。勿論、この装飾面３２としては、絵や模様、あるいは文字を書き込んだものを貼付することによって形成したものだけでなく、例えば開放端面３１自体に組み込んだ発光ダイオード等によって、大当たりへの期待度の表示や大当たり告知を行うものであってもよい。つまり、この装飾面３２は、単なる反射光や透過光を利用して形成したものであっても、所謂電飾を積極的に利用したものであってもよいものである。
【００８０】
ところで、本最良形態では、以上の各遮蔽部材３０の開閉を行う駆動ユニット５０は、図２０〜図２３に示したように構成してある。この駆動ユニット５０は、第１案内レール３３ａ〜第３案内レール３３ｃを設けた上述した両レール板３３の外側に組み込まれるものであり、その駆動モータ５０ａによって、二枚の遮蔽部材３０の上下方向に対する開閉を行うものである。
【００８１】
この駆動ユニット５０の基本的特徴は、図２１に示したように、上下方向に平行な２本のラック５３の間に一個のピニオン５４を介装させて、この一個のピニオン５４の回転によって２本のラック５３を互いに反対方向に平行移動させるようにしたことである。つまり、一個のピニオン５４は、各駆動ユニット５０を構成している一個の駆動モータ５０ａに連結されるものであって、その回転位置を不変とするものであるが、この回転位置不変であるピニオン５４の回転によって、その両側に配置した２本のラック５３を上下動させるものである。
【００８２】
すなわち、各駆動ユニット５０は、図２１にも示したように、駆動モータ５０ａを取り付けてこれを支持する支持台５１と、この支持台５１の内側に配置される案内台５２と、この案内台５２内に上下動自在に組み込まれる２本のラック５３と、これらのラック５３間に配置されるピニオン５４とを備えている。このピニオン５４は、案内台５２内に配置されることは勿論、この案内台５２の略中央に形成してある穴から突出してくる駆動モータ５０ａの回転軸に連結されるものである。
【００８３】
以上の結果、これら各駆動ユニット５０においては、駆動モータ５０ａの回転力によってピニオン５４が回転されると、これに噛合している各ラック５３がピニオン５４の回転方向に応じた上下動をすることになる。この上下動は、両ラック５３を収納した案内台５２によって保証されているが、この案内台５２には、図２１にも示したようにスリットが形成してある。このスリットは、各ラック５３に形成してある連結部５３ａに、レール板３３の貫通している第１案内レール３３ａから突出してくる各連結係合ピン３５を連結するためのものである。換言すれば、各駆動ユニット５０を構成してる案内台５２は、ラック５３やピニオン５４の収納を行うとともに、各ラック５３の連結部５３ａに対する連結係合ピン３５の連結を可能にしながら、かつこの連結係合ピン３５の上下方向の動きをも可能にするものである。
【図面の簡単な説明】
【００８４】
【図１】本発明に係る遊技機に使用される遊技盤、及びこれに設けた遮蔽状態にある遮蔽部材の正面図である。
【図２】図１に示した遊技盤及びその背面側部分を概略的に示す縦断面図である。
【図３】図１に示した遊技盤及びこれに設けた遮蔽部材の縦断面図である。
【図４】同遮蔽部材をレール板及び駆動ユニットとともにユニット化した状態の正面図である。
【図５】図４に示したものの断面であって、各遮蔽部材と第１案内レール〜第３案内レールとの位置関係を示す縦断面図である。
【図６】図４に示したユニットを別方向から見たもので、（ａ）は斜視図、（ｂ）は背面図である。
【図７】図４に示したユニットをさらに別方向から見たもので、（ａ）は平面図、（ｂ）は側面図である。
【図８】本発明に係る遊技機に使用される遊技盤、及びこれに設けた開放状態にある遮蔽部材の正面図である。
【図９】図８に示した遊技盤及びこれに設けた遮蔽部材の縦断面図である。
【図１０】開放状態にある同遮蔽部材をレール板及び駆動ユニットとともにユニット化した状態の正面図である。
【図１１】図１０に示したものの断面であって、各遮蔽部材と第１案内レール〜第３案内レールとの位置関係を示す縦断面図である。
【図１２】図１１に示したユニットを別方向から見たもので、（ａ）は斜視図、（ｂ）は背面図である。
【図１３】図１１に示したユニットをさらに別方向から見たもので、（ａ）は平面図、（ｂ）は側面図である。
【図１４】遮蔽状態にある各遮蔽部材と第１案内レール〜第３案内レールとの位置関係を概略的に示す拡大縦断面図である。
【図１５】半開き状態にある各遮蔽部材と第１案内レール〜第３案内レールとの位置関係を概略的に示す拡大縦断面図である。
【図１６】全開状態にある各遮蔽部材と第１案内レール〜第３案内レールとの位置関係を概略的に示す拡大縦断面図である。
【図１７】各遮蔽部材の外側を覆う枠ユニットの斜視図である。
【図１８】同枠ユニットを示すもので、（ａ）は正面図、（ｂ）は背面図である。
【図１９】同枠ユニットを示すもので、（ａ）は平面図、（ｂ）は側面図、（ｃ）は中心線に沿ってみた縦断面図、（ｄ）は分解縦断面図である。
【図２０】遮蔽状態にある二つの遮蔽部材を中心にして、これに取り付けられるレール板及び駆動ユニットを分解して示した斜視図である。
【図２１】図２０に示した各駆動ユニットを拡大して示した分解斜視図である。
【図２２】図２０に示した各遮蔽部材とレール板との位置関係を拡大して示した分解斜視図である。
【図２３】開放状態にある二つの遮蔽部材を中心にして、これに取り付けられるレール板及び駆動ユニットを分解して示した斜視図である。
【図２４】従来の技術を示すもので、（ａ）は遮蔽部材が開放されたときの正面図、（ｂ）は遮蔽部材による遮蔽がなされたときの正面図である。
【符号の説明】
【００８５】
１０    遊技機
１１    遊技盤
１２    始動口
２０    演出部
３０    遮蔽部材
３０Ａ  箱体
３０ａ  ブレード
３０ｂ  枢着ピン
３１    開放端面
３２    装飾面
３３    レール板
３３ａ  第１案内レール
３３ｂ  第２案内レール
３３ｃ  第３案内レール
３４    係合ピン
３５    連結係合ピン
４０    枠ユニット
４０ａ  開口
４１    透明板
４２    球通路
５０    駆動ユニット
５０ａ  駆動モータ
５１    支持台
５２    案内台
５３    ラック
５３ａ  連結部
５４    ピニオン
６０    主制御基板
６１    副制御基板
６２    第１中継基板
６３    ＬＥＤ基板
６４    第２中継基板
６５    配線
７０    電気部品取付部
７１    第１電気部品
７２    第２電気部品
７３    第３電気部品
７４    第４電気部品
７５    配線
８０    可動空間
８１    埋め空間
【図１】
2009142366.tif 000003
【図２】
2009142366.tif 000004
【図３】
2009142366.tif 000005
【図４】
2009142366.tif 000006
【図５】
2009142366.tif 000007
【図６】
2009142366.tif 000008
【図７】
2009142366.tif 000009
【図８】
2009142366.tif 000010
【図９】
2009142366.tif 000011
【図１０】
2009142366.tif 000012
【図１１】
2009142366.tif 000013
【図１２】
2009142366.tif 000014
【図１３】
2009142366.tif 000015
【図１４】
2009142366.tif 000016
【図１５】
2009142366.tif 000017
【図１６】
2009142366.tif 000018
【図１７】
2009142366.tif 000019
【図１８】
2009142366.tif 000020
【図１９】
2009142366.tif 000021
【図２０】
2009142366.tif 000022
【図２１】
2009142366.tif 000023
【図２２】
2009142366.tif 000024
【図２３】
2009142366.tif 000025
【図２４】
2009142366.tif 000026